(57)【要約】      （修正有）【課題】包装容器等の被着体に取着した後に一部を分離させる配送伝票等の多層の帳票、及びその製造方法に関し、意図せずに帳票分離部の剥がれを防止する。【解決手段】台紙１３に台紙スリット２８によって台紙側分離部２７が形成されて当該台紙分離部２７の領域以外の領域に剥離剤層３１が設けられ、一方、上紙１２（２３）に上紙スリット２５によって帳票分離部２４が形成されて剥離可能再貼付不可層３３が設けられ、台紙１３側の剥離剤層３１を含む全面となり、上紙１２（２３）側の剥離可能再貼付不可層３３を含む全面となる当該台紙１３と当該上紙１２（２３）との間に粘着剤で形成される粘着剤層３２が設けられる構成とする。【選択図】  図１
2008105243.tif 000002
【特許請求の範囲】
【請求項１】
被着体に取着した後に一部の帳票分離部を分離させる多層の帳票であって、
所定部分に、前記帳票分離部より大となる領域を台紙分離部とするための台紙スリットが形成される台紙と、
前記台紙と重ね合わされたときに前記台紙スリットで形成される前記台紙分離部の領域内に相当し、当該台紙分離部の領域より小の領域で前記帳票分離部を形成するために上紙スリットが形成される上紙と、
前記台紙と前記上紙との間に設けられ、当該台紙側の前記台紙分離部となる領域以外の部分領域に形成される剥離剤層と、
前記台紙と前記上紙との間に設けられ、当該上紙側の前記帳票分離部となる領域部分に、剥離可能で剥離後の再貼付を不可とする部材で形成される剥離可能再貼付不可層と、
前記台紙側の前記剥離剤層を含む全面となり、前記上紙側の前記剥離可能再貼付不可層を含む全面となる当該台紙と当該上紙との間に粘着剤で形成される粘着剤層と、
を有することを特徴とする帳票。
【請求項２】
請求項１記載の帳票であって、前記剥離可能再貼付不可層は、異種の樹脂剤による２層で形成され、前記帳票分離部の分離時に当該異種樹脂剤層が当接界面で剥離されることを特徴とする帳票。
【請求項３】
台紙と上紙とが重ね合わされ、被着体に取着した後に一部の帳票分離部を分離させる多層の帳票の製造方法であって、
前記台紙上の、所定部分以外の領域に剥離剤を塗布して剥離剤層を形成する工程と、
前記台紙の前記剥離剤層を含む全面に粘着剤を塗布して粘着剤層を形成する工程と、
前記粘着剤層上であり、前記台紙上の前記剥離剤が塗布されなかった領域内に相当し、当該剥離剤が塗布されなかった領域より小の領域に剥離可能で剥離後の再貼付を不可とする部材を塗布して剥離可能再貼付不可層を形成する工程と、
前記粘着剤層上及び前記剥離可能再貼付不可層上に前記上紙を重ね合わせる工程と、
前記台紙上の前記剥離剤が塗布されなかった領域部分に相当する領域部分に台紙スリットを形成して台紙分離部とさせると共に、前記上紙の前記形成された剥離可能再貼付不可層に相当する領域部分に上紙スリットを形成して帳票分離部とさせる工程と、
を含むことを特徴とする帳票の製造方法。
【請求項４】
台紙と上紙とが重ね合わされ、被着体に取着した後に一部の帳票分離部を分離させる多層の帳票の製造方法であって、
前記上紙の所定部分に剥離可能で剥離後の再貼付を不可とする部材を塗布して剥離可能再貼付不可層を形成する工程と、
前記剥離可能再貼付不可層を含む前記上紙上の全面に粘着剤を塗布して粘着剤層を形成する工程と、
前記粘着剤層上であり、前記上紙上に形成された剥離可能再貼付不可層に相当する領域より一回り大の領域以外の領域部分に剥離剤を塗布して剥離剤層を形成する工程と、
前記剥離剤層上に前記台紙を重ね合わせる工程と、
前記台紙上の前記剥離剤が塗布されなかった領域部分に相当する領域部分に台紙スリットを形成して台紙分離部とさせると共に、前記上紙の前記形成された剥離可能再貼付不可層に相当する領域部分に上紙スリットを形成して前記帳票分離部とさせる工程と、
を含むことを特徴とする帳票の製造方法。
【請求項５】
請求項３又は４記載の帳票の製造方法であって、前記剥離可能再貼付不可層の形成は、前記帳票分離部を分離させるときに当該層内で剥離させるための１層であり、又は、前記帳票分離部を分離させるときに同種部材の当接界面で剥離させるための２層であり、又は、前記帳票分離部を分離させるときに異種樹脂剤の当接界面で剥離させるための２層であることを特徴とする帳票の製造方法。
【発明の詳細な説明】
【技術分野】
【０００１】
本発明は、包装容器等の被着体に取着した後に一部を分離させる配送伝票等の多層の帳票、及びその製造方法に関する。
【背景技術】
【０００２】
近年、配送伝票等の帳票が種々出現しており、特に被着体に取着し、配送後にその一部の受領票を分離させて持ち帰るための帳票においては、当該被着体に取着されているときには剥がれ難く、分離させる際には容易に剥がれることが望まれる。
【０００３】
従来、包装容器等の被着体に取着し、後にその一部を分離させるための帳票として、以下の特許文献で提案されているものがある。
【０００４】
【特許文献１】特開２００５−１３２０１２号公報
【特許文献２】特開２００５−１３１８７４号公報
【０００５】
そこで、図８に、従来の帳票の構造の説明図を示す。図８（Ａ）は特許文献１で提案されている構造の帳票の断面構成図、図８（Ｂ）は上記特許文献２で提案されている構造の帳票の断面構成図である。図８（Ａ）において、帳票１０１は、上紙１０２と台紙１０３との間に剥離剤層１０４及び粘着剤層１０５が介在され、台紙１０３には当該台紙１０３が粘着剤層１０６を表出させるために当該台紙１０３を剥離させたときに上紙１０２側に所定領域の台紙残部１０５を残すためのスリット１０８が形成され、また、上紙１０２には後に所定領域の帳票分離部１０７を分離させる切取ミシン線１０９が形成される。この切取ミシン線１０９の領域は上記スリット１０８で形成される台紙残部１０５の領域より小とされ、当該帳票分離部１０７と台紙残部１０５との間には粘着剤層１０６が非塗布とされる。当該部分に粘着剤層１０６を非塗布とさせることで、後に帳票分離部１０７が容易に分離されるものである。
【０００６】
また、図８（Ｂ）に示す帳票１１１は、台紙１０３の全面に剥離剤層１０４が形成される以外は、図８（Ａ）の帳票１０１と同様であり、切取ミシン線１０９の領域が上記スリット１０８で形成される台紙残部１０５の領域より小とされることや、当該帳票分離部１０７と台紙残部１０５との間には粘着剤層１０６が非塗布とされることは同様である。
【０００７】
上記図８（Ａ）、（Ｂ）に示す帳票１０１，１１１は、共に、台紙１０３が剥離剤層１０４によって粘着剤層１０６より剥離されると、上紙１０２側に台紙残部１０５がスリット１０８によって残存し、その状態で表出された粘着剤層１０６によって被着体に取着され、後に帳票分離部１０７が切取ミシン線１０９で切り取られて分離されるものである。
【発明の開示】
【発明が解決しようとする課題】
【０００８】
しかしながら、図８（Ａ）、（Ｂ）に示す帳票１０１，１１１は、共に、後に分離される帳票分離部１０７が台紙１０３（特に台紙残部１０５）とは間の空間によって関わりがなく、上紙１０２と切取ミシン線１０９によって形成されているに過ぎず、取扱中に意図せずに切取ミシン線１０９で帳票分離部１０７が剥がれてしまう場合がある。
【０００９】
そこで、本発明は上記課題に鑑みなされたもので、意図せずに帳票分離部の剥がれを防止する帳票及びその製造方法を提供することを目的とする。
【課題を解決するための手段】
【００１０】
上記課題を解決するために、請求項１の発明では、被着体に取着した後に一部の帳票分離部を分離させる多層の帳票であって、所定部分に、前記帳票分離部より大となる領域を台紙分離部とするための台紙スリットが形成される台紙と、前記台紙と重ね合わされたときに前記台紙スリットで形成される前記台紙分離部の領域内に相当し、当該台紙分離部の領域より小の領域で前記帳票分離部を形成するために上紙スリットが形成される上紙と、前記台紙と前記上紙との間に設けられ、当該台紙側の前記台紙分離部となる領域以外の部分領域に形成される剥離剤層と、前記台紙と前記上紙との間に設けられ、当該上紙側の前記帳票分離部となる領域部分に、剥離可能で剥離後の再貼付を不可とする部材で形成される剥離可能再貼付不可層と、前記台紙側の前記剥離剤層を含む全面となり、前記上紙側の前記剥離可能再貼付不可層を含む全面となる当該台紙と当該上紙との間に粘着剤で形成される粘着剤層と、を有する構成とする。
【００１１】
請求項２の発明では、前記剥離可能再貼付不可層は、異種の樹脂剤による２層で形成され、前記帳票分離部の分離時に当該異種樹脂剤層が当接界面で剥離される構成である。
【００１２】
請求項３の発明では、台紙と上紙とが重ね合わされ、被着体に取着した後に一部の帳票分離部を分離させる多層の帳票の製造方法であって、前記台紙上の、所定部分以外の領域に剥離剤を塗布して剥離剤層を形成する工程と、前記台紙の前記剥離剤層を含む全面に粘着剤を塗布して粘着剤層を形成する工程と、前記粘着剤層上であり、前記台紙上の前記剥離剤が塗布されなかった領域内に相当し、当該剥離剤が塗布されなかった領域より小の領域に剥離可能で剥離後の再貼付を不可とする部材を塗布して剥離可能再貼付不可層を形成する工程と、前記粘着剤層上及び前記剥離可能再貼付不可層上に前記上紙を重ね合わせる工程と、前記台紙上の前記剥離剤が塗布されなかった領域部分に相当する領域部分に台紙スリットを形成して台紙分離部とさせると共に、前記上紙の前記形成された剥離可能再貼付不可層に相当する領域部分に上紙スリットを形成して帳票分離部とさせる工程と、を含む構成とする。
【００１３】
請求項４の発明では、台紙と上紙とが重ね合わされ、被着体に取着した後に一部の帳票分離部を分離させる多層の帳票の製造方法であって、前記上紙の所定部分に剥離可能で剥離後の再貼付を不可とする部材を塗布して剥離可能再貼付不可層を形成する工程と、前記剥離可能再貼付不可層を含む前記上紙上の全面に粘着剤を塗布して粘着剤層を形成する工程と、前記粘着剤層上であり、前記上紙上に形成された剥離可能再貼付不可層に相当する領域より一回り大の領域以外の領域部分に剥離剤を塗布して剥離剤層を形成する工程と、前記剥離剤層上に前記台紙を重ね合わせる工程と、前記台紙上の前記剥離剤が塗布されなかった領域部分に相当する領域部分に台紙スリットを形成して台紙分離部とさせると共に、前記上紙の前記形成された剥離可能再貼付不可層に相当する領域部分に上紙スリットを形成して前記帳票分離部とさせる工程と、を含む構成とする。
【００１４】
請求項５の発明では、請求項３又は４記載の帳票の製造方法であって、前記剥離可能再貼付不可層の形成は、前記帳票分離部を分離させるときに当該層内で剥離させるための１層であり、又は、前記帳票分離部を分離させるときに同種部材の当接界面で剥離させるための２層であり、又は、前記帳票分離部を分離させるときに異種樹脂剤の当接界面で剥離させるための２層である構成である。
【発明の効果】
【００１５】
請求項１、２の発明によれば、台紙に台紙スリットによって台紙側分離部が形成されて当該台紙分離部の領域以外の領域に剥離剤層が設けられ、一方、上紙に上紙スリットによって帳票分離部が形成されて剥離可能再貼付不可層が設けられ、台紙側の剥離剤層を含む全面となり、上紙側の剥離可能再貼付不可層を含む全面となる当該台紙と当該上紙との間に粘着剤層が設けられることにより、帳票分離部が粘着剤層と接着される剥離可能再貼付不可層に取着されることから、上紙に対してミシン線によらずスリットで形成しても、取扱い段階での意図しない帳票分離部の剥がれを防止することができるものである。
【００１６】
請求項３〜５の発明によれば、粘着剤層が、台紙側の剥離剤層を含み、又は、上紙側の剥離可能再貼付不可層を含む全面に形成させる工程が含まれることにより、粘着剤層と接着される剥離可能再貼付不可層に取着される帳票分離部に対して、当該粘着剤層を部分塗布によらず全面塗布させることから粘着剤塗布工程を簡易に行うことができるものである。
【発明を実施するための最良の形態】
【００１７】
以下、本発明の最良の実施形態を図により説明する。
図１に、本発明に係る帳票の構成図を示す。図１（Ａ）は帳票の表面の平面図、図１（Ｂ）は帳票の裏面の平面図、図１（Ｃ）は図１（Ａ）のＡ−Ａ断面図である。なお、図１（Ｃ）の断面図は構成を説明するために寸法を無視してある。
【００１８】
図１（Ａ）〜（Ｃ）に示す帳票１１は、ここでは配達伝票として説明する。帳票１１は、上紙１２と台紙１３とが重ね合わされる多層のものであって、上紙１２は、例えば第１帳票２１と第２帳票２３とが切取線（ミシン線）２２で切り取り自在とされている。上紙１２としては、１０４．７ｇ／ｍ2（四六判９０ｋｇ連量）以下の感熱紙、上質紙、コート紙、ノーカーボン紙、インクジェット用紙、合成紙、フィルム等が採用できる。また、重ね合わされる台紙１３は、上紙１２の第１帳票２１と対応する第１台紙１３Ａと第２帳票２３と対応する第２台紙１３Ｂとが上記切取線２２と一体とされる切取線２６で切り取り自在とされている。台紙１３としては、同様に、１０４．７ｇ／ｍ2（四六判９０ｋｇ連量）以下の感熱紙、上質紙、コート紙、ノーカーボン紙、インクジェット用紙、合成紙、フィルム等が採用できる。
【００１９】
上記上紙１２の第１帳票としては、上記上紙１２及び台紙１３は、ここでは共に紙類として説明するが、配達伝票とする場合として上紙１２は紙類が好ましく、台紙１３は紙類に限らずフィルム等であってもよい。配達伝票として、例えば、第１帳票２１（第２台紙１３Ｂ）が送り状となり、第２帳票２３（第２台紙１３Ｂ）の後述の帳票分離部２４（台紙分離部２７）が受領票とされる。本発明の帳票１１は、上紙１２の第２帳票２３及び台紙１３Ｂの構成が対象となる。
【００２０】
構成上、上記上紙１２（第２帳票２３）は、台紙１３（第２台紙１３Ｂ）と重ね合わされたときに台紙スリット２８で形成される台紙分離部２７の領域内に相当し、当該台紙分離部２７の領域より小の領域で帳票分離部２４とするための上紙スリット２５が形成される。また、第２台紙１３Ｂには、帳票分離部２４より大となる領域を台紙分離部２７とするための台紙スリット２８が形成される。すなわち、上紙１２と台紙１３とが重ね合わされたときに、台紙分離部２７の領域内に一回り小の帳票分離部２４が形成されることとなる。
【００２１】
構成上、台紙１３（第２台紙１３Ｂ）と上紙１２（第２帳票２３）との間に、当該台紙１３側の台紙分離部２７となる領域以外の部分領域に剥離剤で形成される剥離剤層３１が設けられる。当該剥離剤としては、例えばエポキシ変性シリコーン若しくはシリコーンアクリレートを、例えば３０〜８０パーセント配合した紫外線硬化樹脂が使用される。一方、台紙１３（第２台紙１３Ｂ）と上紙１２（第２帳票２３）との間に、当該上紙１２側の帳票分離部２４となる領域部分に、剥離可能で剥離後の再貼付を不可とする部材で形成される剥離可能再貼付不可層３３が１層で設けられる。当該剥離可能再貼付不可層３３を構成する剥離可能で剥離後の再貼付を不可とする部材としては、一例として剥離可能は感圧接着剤が使用される。当該剥離可能感圧接着剤としては、例えば、1種類以上のシリコーンアクリレートを５〜１３パーセント配合した紫外線硬化樹脂が使用される。
【００２２】
そして、構成上、台紙１３（第２台紙１３Ｂ）と上紙１２（第２帳票２３）との間であって、台紙１３側の前記剥離剤層３１を含む全面となり、上紙１２側の剥離可能再貼付不可層３３を含む全面に粘着剤で形成される粘着剤層３２が設けられる。当該粘着剤としては、例えばアクリル系エマルジョン粘着剤若しくは合成ゴム系ホットメルトの剥離不可の強接着剤が使用される。ここでは、粘着剤層３２は、台紙１３（第２台紙１３Ｂ）の台紙分離部２７上にも粘着剤が塗布されたものとしている。
【００２３】
すなわち、後述するが、第２帳票２３の帳票分離部２４は剥離可能再貼付不可層３３の一方面に取着され、当該剥離可能再貼付不可層３３の他方面が粘着剤層３２に強接着されていることから、帳票分離部２４を分離するときには剥離可能再貼付不可層３３は、その層内で剥離される。
【００２４】
ここで、図２に図１の帳票の使用形態の説明図を示すと共に、図３に図２の使用形態における帳票の断面説明図を示す。図２（Ａ）において、まず、配達伝票としての帳票１１は、送り状となる第１帳票２１と第１台紙１３Ａとは粘着剤層３２により剥離不可の状態で接着されており、第２帳票２３の剥離可能再貼付不可層３３以外の部分は粘着剤層３２により剥離不可の状態で接着されている（図３（Ａ））。
【００２５】
この帳票１１は、送り状となる第１帳票２１（第１台紙１３Ａ）が切取線２２（２６）で切り離され（図３（Ｂ））、第２帳票２３（第２台紙１３Ｂ）は、第２台紙１３Ｂが台紙スリット２８で分離されている台紙分離部２７を残存させて剥離剤層３１により粘着剤層３２より剥離される（図３（Ｃ））。そして、残りの台紙分離部２７を含む第２帳票２３が粘着剤層３２により包装容器等の被着体４１に貼付される。
【００２６】
そして、図２（Ｂ）に示すように、被着体４１に貼付された第２帳票２３（台紙分離部２７を含む）から、上紙スリット２５で分離されている押印後の受領票となる帳票分離部２４が分離される。帳票分離部２４を分離する際には、図３（Ｄ）に示すように、剥離可能再貼付不可層３３の一方面が帳票分離部２４に取着されており、他方面が粘着剤層３２に強接着されていることから、層内剥離面３４で剥離されることとなって、当該帳票分離部２４が分離されるものである。
【００２７】
すなわち、分離した帳票分離部（受領票）２４には剥離可能再貼付不可層３３の厚さ方向の一部の剥離可能再貼付不可層３３Ｂが再貼付できない状態で残存し、被着体４１側の第２帳票２３（第２台紙１３Ｂ）側では、粘着剤層３２上に残りの剥離可能再貼付不可層３３Ａが再貼付できない状態で残存する。換言すれば、粘着剤層３２が表出されないことから触れても粘着感はない。
【００２８】
このように、帳票分離部２４が粘着剤層３１と接着される剥離可能再貼付不可層３３に取着されることから、取扱い段階での意図しない帳票分離部２４の剥がれを防止することができるものである。一方で、帳票分離部（受領証）２４を、上紙１２（第２帳票２３）に対してミシン線によらず上紙スリット２５で形成することで、容易に分離させることができ、また、分離後にミシン線のようなバリができずに滑らかにすることができるものである。
【００２９】
次に、図４に、図１の帳票の製造説明図を示す。図４（Ａ）は帳票の製造方法を実現する帳票製造装置の概念図、図４（Ｂ）はその製造フローチャートである。図４（Ａ）において、帳票製造装置５０Ａは、上記台紙１３が例えば切取ミシン線で連続されたロール状（必ずしもロール状でなくとも、ジグザグ折り状でもよい）の連続状台紙５１が所定の搬送手段（ニップ搬送又はキャラクタ搬送）により搬送されるもので、当該搬送経路上に順次剥離剤塗布部５２、粘着剤塗布部５３及び剥離可能再貼付不可剤塗布部５４が配置される。
【００３０】
一方、上記上紙１２が例えば切取ミシン線で連続されたロール状（必ずしもロール状でなくとも、ジグザグ折り状でもよい）の連続状上紙５５が所定の搬送手段（ニップ搬送又はキャラクタ搬送）により搬送されるもので、当該搬送経路上に印刷部５６が配置される。当該印刷部５６は、後述するように、書式や、送り状に関する情報、受領証に関する情報等を印刷するもので、インクジェットプリンタ、レーザビームプリンタ、感熱プリンタ、インパクトプリンタ又はノンインパクトプリンタ等である。なお、印刷は、この製造段階でなくとも、単一の帳票１１とされた後に行ってもよく、当該単一の帳票１１の平坦化が向上されていることから、多量に積み重ねた状態から印刷する場合に上記プリンタが特に有効である。このことは、後述の図５（Ａ）においても同様である。そして、搬送される連続状台紙５１と搬送される連続状上紙５５とを重ね合わせる重合部（例えば重ね合わせロール）５７が配置され、重ね合わせ後の搬送経路上にスリット形成部５８、断裁部５９が配置されるものである。
【００３１】
そこで、帳票製造装置５０Ａは、図４（Ｂ）に示すように、まず、連続状台紙５１に対して、当該連続状台紙５１における第２台紙１３Ｂとなる部分の上記台紙分離部２７となる領域以外の領域部分に剥離剤塗布部５２により剥離剤が塗布され、乾燥されて剥離剤層３１が形成される（ステップ（Ｓ）１）。続いて、剥離剤層３１上であって、連続状台紙５１の全面、すなわち剥離剤層３１を含む連続状台紙５１（台紙１３）上の全面に粘着剤塗布部５３により粘着剤が塗布され、粘着剤層３２が形成される（Ｓ２）。
【００３２】
そして、粘着剤層３２上であり、連続状台紙５１上の剥離剤が塗布されなかった領域内に相当し、当該剥離剤が塗布されなかった領域より小の領域（上紙１２の帳票分離部２４）に剥離可能で剥離後の再貼付を不可とする部材を塗布して剥離可能再貼付不可層としての、例えば上記剥離可能感圧接着剤が剥離可能再貼付不可剤塗布部５４により塗布されて剥離可能再貼付不可層３３が形成される（Ｓ３）。
【００３３】
一方、搬送される連続状上紙５５は、書式や、送り状に関する情報、受領証に関する情報等を印刷部５６により印刷される（Ｓ４）。そして、重合部５７で連続状台紙５１と連続状上紙５５とが粘着剤層３２及び剥離可能再貼付不可層３３の一方面で重ね合わせ接着が行われる（Ｓ５）。続いて、スリット形成部５８において、連続状台紙５１上の剥離剤が塗布されなかった領域部分に台紙スリット２８を形成して台紙分離部２７とさせると共に、連続状台紙５１上に形成された剥離可能再貼付不可層３３に相当する領域部分に上紙スリット２５を形成して帳票分離部２４とさせる（Ｓ６）。その後、断裁部５３によって、単一の帳票１１に断裁されるものである（Ｓ７）。
【００３４】
このように、粘着剤層３２と接着される剥離可能再貼付不可層３２に取着される帳票分離部２４に対して、連続状台紙５１上に剥離剤層３１を含んで全面に粘着剤層３２を形成させることができ、粘着剤塗布工程を簡易に行うことができるものである。すなわち、粘着剤は粘性を有して部分的な粘着剤層を塗布することが難しく、本発明によれば粘着剤の部分塗布によらず全面塗布によって、帳票分離部２４の意図しない剥がれを防止した上記帳票１１を作製することができるものである。また、連続状台紙５１と連続状上紙５５とを重ね合わせる際に、粘着剤層３２によって接着されることから、特に加圧することを要しないものである。
【００３５】
次に、図５に、図１の帳票の他の製造説明図を示す。図５（Ａ）は帳票の製造方法を実現する帳票製造装置の概念図、図５（Ｂ）はその製造フローチャート、図５（Ｃ）は当該帳票製造装置で作製される帳票の概念断面図である。図５（Ａ）において、帳票製造装置５０Ｂは、上記同様の連続状台紙５１が搬送される搬送経路上に剥離剤塗布部５２が配置される。
【００３６】
一方、上記同様の連続状上紙５５が搬送される搬送経路上であって、当該連続状上紙５５の上面側に印刷部５６が配置され、当該連続状上紙５５の下面側に順次剥離可能再貼付不可剤塗布部５４及び粘着剤塗布部５３が配置される。そして、上記同様に、搬送される連続状台紙５１と搬送される連続状上紙５５とを重ね合わせる重合部５７が配置され、重ね合わせ後の搬送経路上にスリット形成部５８、断裁部５９が配置されるものである。
【００３７】
そこで、帳票製造装置５０Ｂは、図５（Ｂ）に示すように、まず、連続状台紙５１に対して、当該連続状台紙５１における第２台紙１３Ｂとなる部分の上記台紙分離部２７となる領域以外の領域部分に剥離剤塗布部５２により剥離剤が塗布され、乾燥されて剥離剤層３１が形成される（Ｓ１１）。すなわち、剥離剤層３１は、連続状上紙５５上に形成されるべき剥離可能再貼付不可層３２に相当する領域よりこれを含む一回り大の領域以外の領域部分に剥離剤が剥離剤塗布部５３によって塗布されることで形成されるものである。
【００３８】
一方、搬送される連続状上紙５５は、送り状に関する情報や、受領証に関する情報等を印刷部５６により印刷される（Ｓ１２）。続いて、連続状上紙５５の下面側であって、上記帳票分離部２４に相当する部分に剥離可能で剥離後の再貼付を不可とする部材を塗布して剥離可能再貼付不可層としての、例えば上記剥離可能感圧接着剤が剥離可能再貼付不可剤塗布部５４により塗布されて剥離可能再貼付不可層３３が形成される（Ｓ１３）。また、剥離可能再貼付不可層３３を含む連続状上紙５５の下面側全面に粘着剤塗布部５３により粘着剤が塗布され、粘着剤層３２が形成される（Ｓ１４）。なお、本実施形態では、剥離剤層３１を連続状台紙５１側に形成する場合を示したが、連続状上紙５５側の下面に形成した粘着剤層３２上に剥離剤層３１を形成させることとしてもよい。
【００３９】
そして、重合部５７において、連続状台紙５１を連続状上紙５５の下面側で粘着剤層３２及び剥離剤層３１により重ね合わせ接着が行われる（Ｓ１５）。続いて、スリット形成部５８において、連続状台紙５１上の剥離剤が位置されない領域部分に台紙スリット２８を形成して台紙分離部２７とさせると共に、連続状台紙５１上に形成された剥離可能再貼付不可層３３に相当する領域部分に上紙スリット２５を形成して帳票分離部２４とさせる（Ｓ１６）。その後、断裁部５３によって、単一の帳票１１に断裁されるものである（Ｓ１７）。
【００４０】
この帳票１１が図５（Ｃ）に示される。すなわち、当該帳票１１は台紙分離部２７の剥離剤層３１が形成されない領域には、何も形成されないこととなるが、重ね合わせ時に粘着剤層３２で接着される場合もある。
【００４１】
このような帳票製造装置５０Ｂにおける製造方法によっても、上記同様に、粘着剤の部分塗布によらず全面塗布によって、粘着剤塗布工程を簡易に行うことができ、帳票分離部２４の意図しない剥がれを防止した上記帳票１１を作製することができると共に、連続状台紙５１と連続状上紙５５とを重ね合わせる際に、粘着剤層３２によって接着されることから、特に加圧することを要しないものである。
【００４２】
次に、図６に、本発明に係る帳票の構造における第１変形例の説明図を示す。図６（Ａ）は帳票の概念断面図、図６（Ｂ）は図６（Ａ）の帳票の作製フローチャートである。図６（Ａ）に示す帳票１１は、同種部材で２層形態の剥離可能再貼付不可層３３Ａ，３３Ｂとしたもので、他の構成は図１と同様である。また、図６（Ｂ）の作成方法は、図４（Ａ）の帳票作製装置５０Ａの構成と同様であるが、剥離可能再貼付不可剤塗布部５４は２層の剥離可能再貼付不可剤を塗布する構成である。なお、図５（Ａ）に示す帳票作製装置５０Ｂにおいても作製することができるものであり、ここでは説明を省略する。
【００４３】
すなわち、剥離可能再貼付不可層３３Ａ，３３Ｂは、上記帳票分離部２４を分離させるときに同種部材の当接界面で剥離させるための２層としたもので、剥離可能再貼付不可層３３Ａの部材としては、例えば1種類以上のシリコーンアクリレートを５〜１３パーセント配合した紫外線硬化樹脂が使用され、剥離可能再貼付不可層３３Ｂの部材としては、例えばウレタンアクリルートを３〜２０パーセント（更に好ましくは５〜１５パーセント）配合した紫外線硬化樹脂が使用される。本実施形態では、当該剥離可能再貼付不可層を第１樹脂剤層３３Ａ及び第２樹脂剤層３３Ｂとして説明する。
【００４４】
そこで、図６（Ｂ）において、連続状台紙５１に対して、当該連続状台紙５１における第２台紙１３Ｂとなる部分の上記台紙分離部２７となる領域以外の領域部分に剥離剤塗布部５２により剥離剤が塗布され、乾燥されて剥離剤層３１が形成される（Ｓ２１）。続いて、剥離剤層３１上であって、連続状台紙５１の全面、すなわち剥離剤層３１を含む連続状台紙５１（台紙１３）上の全面に粘着剤塗布部５３により粘着剤が塗布され、粘着剤層３２が形成される（Ｓ２２）。
【００４５】
そして、粘着剤層３２上であり、連続状台紙５１上の剥離剤が塗布されなかった領域内に相当し、当該剥離剤が塗布されなかった領域より小の領域（上紙１２の帳票分離部２４）に剥離可能で剥離後の再貼付を不可とする部材を塗布して剥離可能再貼付不可層としての、例えばニス剤が第１樹脂剤として剥離可能再貼付不可剤塗布部により塗布されて乾燥されることで１層目の剥離可能再貼付不可層（第１樹脂剤層）３３Ａが形成される（Ｓ２３）。この１層目の乾燥された剥離可能再貼付不可層３３Ａ上に、再度、例えばニス剤が第２樹脂剤として剥離可能再貼付不可剤塗布部５４により塗布されることで２層目の剥離可能再貼付不可層（第２樹脂剤層）３３Ｂが形成される（Ｓ２４）
【００４６】
一方、搬送される連続状上紙５５は、送り状に関する情報や、受領証に関する情報等を印刷部５６により印刷される（Ｓ２５）。そして、重合部５７で連続状台紙５１と連続状上紙５５とが粘着剤層３２及び剥離可能再貼付不可層３３の一方面で重ね合わせ接着が行われる（Ｓ２６）。続いて、スリット形成部５８において、連続状台紙５１上の剥離剤が塗布されなかった領域部分に台紙スリット２８を形成して台紙分離部２７とさせると共に、連続状台紙５１上に形成された剥離可能再貼付不可層３３に相当する領域部分に上紙スリット２５を形成して帳票分離部２４とさせる（Ｓ２７）。その後、断裁部５３によって、単一の帳票１１に断裁されるものである（Ｓ２８）。
【００４７】
このような帳票１１は、最終的に帳票分離部２４を分離させる際には、各剥離可能再貼付不可層３３Ａ，３３Ｂの当接面で界面剥離されるもので、分離した帳票分離部（受領票）２４には２層目の剥離可能再貼付不可層３３Ｂが再貼付できない状態で残存し、被着体４１側の第２帳票２３（第２台紙１３Ｂ）側では、粘着剤層３２上に１層目の剥離可能再貼付不可層３３Ａが再貼付できない状態で残存する。換言すれば、粘着剤層３２が表出されないことから触れても粘着感はない。
【００４８】
このように、同種部材で剥離可能再貼付不可層３３Ａ，３３Ｂを２層とする場合であっても、上記同様に、取扱い段階での意図しない帳票分離部２４の剥がれを防止することができるものである。
【００４９】
次に、図７に、本発明に係る帳票の構造における第２変形例の説明図を示す。図７（Ａ）は帳票の概念断面図、図７（Ｂ）は図７（Ａ）の帳票の作製フローチャートである。図７（Ａ）に示す帳票１１は、異種樹脂剤で２層形態の剥離可能再貼付不可層３３Ｃ，３３Ｂとしたもので、他の構成は図１と同様である。また、図７（Ｂ）の作成方法は、図４（Ａ）の帳票作製装置５０Ａの構成と同様であるが、剥離可能再貼付不可剤塗布部５４は１層の剥離可能再貼付不可剤を塗布する構成であり、その次段に印刷部を配置する構成である。なお、図５（Ａ）に示す帳票作製装置５０Ｂにおいても剥離可能再貼付不可層剤塗布部５４の次段に印刷部を配置して作製することができることは同様である。
【００５０】
すなわち、剥離可能再貼付不可層３３Ｃ，３３Ｂは、上記帳票分離部２４を分離させるときに異種樹脂剤の当接界面で剥離させるための２層としたもので、当該剥離可能再貼付不可層を第１樹脂剤層３３Ｃとして所定情報の印刷による印刷インキ層であり、第２樹脂剤層３３Ｂとして上記同様のニス剤層として説明する。
【００５１】
そこで、図７（Ｂ）において、連続状台紙５１に対して、当該連続状台紙５１における第２台紙１３Ｂとなる部分の上記台紙分離部２７となる領域以外の領域部分に剥離剤塗布部５２により剥離剤が塗布され、乾燥されて剥離剤層３１が形成される（Ｓ３１）。続いて、剥離剤層３１上であって、連続状台紙５１の全面、すなわち剥離剤層３１を含む連続状台紙５１（台紙１３）上の全面に粘着剤塗布部５３により粘着剤が塗布され、粘着剤層３２が形成される（Ｓ３２）。
【００５２】
そして、粘着剤層３２上であり、連続状台紙５１上の剥離剤が塗布されなかった領域内に相当し、当該剥離剤が塗布されなかった領域より小の領域（上紙１２の帳票分離部２４）に所定情報を印刷することで印刷インキ（第１樹脂剤）による１層目の第１樹脂剤層３３Ｃが剥離可能で剥離後の再貼付を不可とする部材として形成される（Ｓ３３）。この１層目の第１樹脂剤層３３Ｃ上に、再度、例えばニス剤が第２樹脂剤として剥離可能再貼付不可剤塗布部により塗布されることで２層目の剥離可能再貼付不可層（第２樹脂剤層）３３Ｂが形成される（Ｓ３４）
【００５３】
一方、搬送される連続状上紙５５は、送り状に関する情報や、受領証に関する情報等を印刷部５６により印刷される（Ｓ３５）。そして、重合部５７で連続状台紙５１と連続状上紙５５とが粘着剤層３２及び剥離可能再貼付不可層（第２樹脂剤層）３３Ｂの一方面で重ね合わせ接着が行われる（Ｓ３６）。続いて、スリット形成部５８において、連続状台紙５１上の剥離剤が塗布されなかった領域部分に台紙スリット２８を形成して台紙分離部２７とさせると共に、連続状台紙５１上に形成された剥離可能再貼付不可層（第１樹脂剤層３３Ｃ、第２樹脂剤層３３Ｂ）に相当する領域部分に上紙スリット２５を形成して帳票分離部２４とさせる（Ｓ３７）。その後、断裁部５３によって、単一の帳票１１に断裁されるものである（Ｓ３８）。
【００５４】
このような帳票１１は、最終的に帳票分離部２４を分離させる際には、各剥離可能再貼付不可層３３Ｃ，３３Ｂの当接面で界面剥離されるもので、分離した帳票分離部（受領票）２４には２層目の剥離可能再貼付不可層（第２樹脂剤層）３３Ｂが再貼付できない状態で残存し、被着体４１側の第２帳票２３（第２台紙１３Ｂ）側では、粘着剤層３２上に１層目の剥離可能再貼付不可層（第１樹脂剤層）３３Ｃが再貼付できない状態で残存する。この剥離可能再貼付不可層（第１樹脂剤層）３３Ｃは、所定の情報であり、帳票分離部２４を分離したときに当該情報を表示させることができるものである。
【００５５】
このように、異種樹脂剤で剥離可能再貼付不可層３３Ｃ，３３Ｂを２層とする場合であっても、上記同様に、取扱い段階での意図しない帳票分離部２４の剥がれを防止することができるものである。
【産業上の利用可能性】
【００５６】
本発明の帳票は、包装容器等の被着体に貼付した帳票より一部を分離させて使用される場合に適する。
【図面の簡単な説明】
【００５７】
【図１】本発明に係る帳票の構成図である。
【図２】図１の帳票の使用形態の説明図である。
【図３】図２の使用形態における帳票の断面説明図である。
【図４】図１の帳票の製造説明図である。
【図５】図１の帳票の他の製造説明図である。
【図６】本発明に係る帳票の構造における第１変形例の説明図である。
【図７】本発明に係る帳票の構造における第２変形例の説明図である。
【図８】従来の帳票の構造の説明図である。
【符号の説明】
【００５８】
１１            帳票
１２            上紙
１３            台紙
１３Ａ          第１台紙
１３Ｂ          第２台紙
２１            第１帳票
２３            第２帳票
２４            帳票分離部
２５            上紙スリット
２７            台紙分離部
２８            台紙スリット
３１            剥離剤層
３２            粘着剤層
３３            剥離可能再貼付不可層
５０            帳票製造装置
３３            剥離可能再貼付不可層
５０            帳票製造装置
【図１】
2008105243.tif 000003
【図２】
2008105243.tif 000004
【図３】
2008105243.tif 000005
【図４】
2008105243.tif 000006
【図５】
2008105243.tif 000007
【図６】
2008105243.tif 000008
【図７】
2008105243.tif 000009
【図８】
2008105243.tif 000010